(57)【要約】      （修正有）【課題】手網の網枠へ着脱可能な網の提供。【解決手段】手網の網枠２に装着される網袋１であって、網袋１は、網袋１の開口部３０端部に沿って、網袋１を網枠２に着脱自在とする係止部１０が形成される。係止部１０は、少なくとも１個所以上の切込み部１１が設けられ、網袋１を網枠２に係止する際に、網枠２が収納可能となる筒状に形成される手網用網袋。【選択図】図１
0003111618.tif 000002
【実用新案登録請求の範囲】
【請求項１】
手網の網枠に装着される網袋であって、
当該網袋は、当該網袋の開口部端部に沿って、当該網袋を網枠に着脱自在とする係止部が形成されていることを特徴とする手網用網袋。
【請求項２】
前記係止部は、少なくとも１個所以上の切込み部が設けられ、当該網袋を網枠に係止する際には、網枠が収納可能となる筒状に形成されることを特徴とする請求項１に記載の手網用網袋。
【請求項３】
前記係止部における係止手段は、互いに歯合し合う一対の歯合部を有するファスナーであって、一方の歯合部が網袋の開口部端部側に、他方の歯合部が網袋の底部側に設けられていることを特徴とする請求項１乃至２のいずれかに記載の手網用網袋。
【請求項４】
ファスナーに使用されるチャックヘッドが複数であることを特徴とする請求項３記載の手網用網袋。
【請求項５】
チャックヘッド同士を係止する係止片が設けられていることを特徴とする請求項４に記載の手網用網袋。
【請求項６】
前記係止部の係止手段は、互いに係止し合う一対の係止面を有する面ファスナーであって、一方の係止面が網袋の開口部端部側に、他方の係止面が網袋の底部側に設けられていることを特徴とする請求項１乃至２のいずれかに記載の手網用網袋。
【請求項７】
網袋を連結することが可能となるファスナーの歯合部が網袋の周囲に沿って設けられていることを特徴とする請求項１乃至７のいずれかに記載の手網用網袋。
【請求項８】
網袋の底部が開閉自在となるように、所定の長さを有するファスナーが網袋底部に設けられていることを特徴とする請求項１乃至８のいずれかに記載の手網用網袋。
【請求項９】
手網の網枠に装着可能な第１及び第２の網袋からなり、第２の網袋は第１の網袋の底部側に連結可能な網袋であって、
第１の網袋は、その開口部端部に沿って、少なくとも１個所以上の切込み部が設けられた、当該第１の網袋を網枠に着脱自在とする係止部が形成され、
当該係止部は当該網袋を網枠に係止する際には、網枠が収納可能となる筒状となり、
当該係止部における係止手段は、互いに歯合し合う一対の歯合部を有するファスナーであって、一方の歯合部が網袋の開口部端部側に、他方の歯合部が網袋の底部側に設けられ、
更には、当該第１の網袋の底部側の外周側面に沿って、第２の網袋を連結するための連結用歯合部が設けられると共に、当該第１の網袋の底部には所定の長さを有する底部開口用ファスナー部が設けられ、
第２の網袋は、少なくとも第１の網袋の連結用歯合部に対応する歯合部が設けられていることを特徴とする手網用網袋。
【考案の詳細な説明】
【技術分野】
【０００１】
本考案は、魚釣り、昆虫採集等に使用される捕獲用手網に関するものであり、特に手網の網枠へ着脱自在な網袋に関するものである。
【背景技術】
【０００２】
従来の魚・昆虫等の捕獲用手網は、柄と、柄の一端側に固定した網枠と、網枠に取付けられた網袋とから構成される。この網袋は、予め網枠に紐で縫いつけたり、縛ったり、網袋の網目を網枠に通すことにより取付けられた構造となっている。従って、サイズ（深さ等）の異なる網袋や、網目の大きさが異なる網袋や、編糸の太さが異なる網袋を使用する場合には、新たに別の手網を使用するか又は網袋を固定している紐等を切断して網袋を一旦取外し、新たな網袋を再度紐で縫いつけたり、縛ったり等しなければならなかった。また、手網の網袋が破損した場合には、その取替えに時間がかかり、非常に面倒であった。
【０００３】
これに対して、魚釣り用の手網において、網袋の網枠への取付け構造を簡素化して、手網の製造コストを減らし、必要時には、網袋の交換を容易に行えるようにした釣用手網が開示されている（特許文献１）。また、釣行時に破損しやすい網袋の交換を容易にした渓流釣用手網が開示されている（特許文献２）。
【特許文献１】実開平７−４２６０８号公報
【特許文献２】実開平７−４２６０６号公報
【考案の開示】
【考案が解決しようとする課題】
【０００４】
しかしながら、これらの構造であっても、実際には、網袋を即座に交換することはできないという問題がある。また、これらの構造であっても、網袋を自在に何度でも着脱することは面倒でもある。
【０００５】
一方、魚釣り等に手網が使用された場合には、魚を手網で取り込んだ際に魚の体表粘液が網袋に付着して、手網使用後に腐敗臭（悪臭）を発したりするため、魚釣り後に濡れて腐敗臭（悪臭）漂う手網をどのように持ち運びするかは、釣り人の悩みであった。また、従来はこの腐敗臭を取り除くため、網袋が網枠に取付けられたまま洗濯しているが、網袋のみを取外して洗濯できれば便利である。更に、網の毀損・破損時の網袋の交換、捕獲しようとする獲物の種類・大きさに対応した網袋のサイズの変更のための交換、周囲の色調との調和のための交換、衣服との配色の調和のための交換、等ができれば、実際の魚釣り等の場面において複数の手網を用意しなくてもよくなり、非常に便利である。加えて、網袋を網枠に装着した場合において、簡単に外れず使用に耐えうる強度も必要である。
【０００６】
本考案の目的は、上記従来の問題点に鑑みてなされたものであり、網枠から容易に着脱可能であり、装着の際には使用に耐えうる強度を有する網袋を提供することにある。
【課題を解決するための手段】
【０００７】
本考案に係る網袋は、手網の網枠に装着される網袋であって、当該網袋は、当該網袋の開口部端部に沿って、当該網袋を網枠に着脱自在とする係止部が形成されていることを特徴とする。
【０００８】
前記係止部は、少なくとも１個所以上の切込み部が設けられ、当該網袋を網枠に係止する際に、網枠が収納可能となる筒状に形成されることを特徴とする。
【０００９】
前記係止部における係止手段は、互いに歯合し合う一対の歯合部を有するファスナーであって、一方の歯合部が網袋の開口部端部側に、他方の歯合部が網袋の底部側に設けられていることを特徴とする。
【００１０】
ファスナーに使用されるチャックヘッドが複数であることを特徴とする。
【００１１】
ファスナーに使用されるチャックヘッドが複数である場合には、チャックヘッド同士を係止する係止片が設けられていることを特徴とする。
【００１２】
前記係止部の係止手段は、互いに係止し合う一対の係止面を有する面ファスナーであって、一方の係止面が網袋の開口部端部側に、他方の係止面が網袋の底部側に設けられていることを特徴とする。
【００１３】
本考案に係る網袋は、網袋を連結することが可能となるファスナーの歯合部が網袋の周囲に沿って設けられていることを特徴とする。
【００１４】
本考案に係る網袋の底部が開閉自在となるように、所定の長さを有するファスナーが網袋底部に設けられていることを特徴とする。
【００１５】
本考案に係る手網用網袋は、手網の網枠に装着可能な第１及び第２の網袋からなり、第２の網袋は第１の網袋の底部側に連結可能な網袋であって、第１の網袋は、その開口部端部に沿って、少なくとも１個所以上の切込み部が設けられた、当該第１の網袋を網枠に着脱自在とする係止部が形成され、当該係止部は当該網袋を網枠に係止する際には、網枠が収納可能となる筒状となり、当該係止部における係止手段は、互いに歯合し合う一対の歯合部を有するファスナーであって、一方の歯合部が網袋の開口部端部側に、他方の歯合部が網袋の底部側に設けられ、更には、当該第１の網袋の底部側の外周側面に沿って、第２の網袋を連結するための連結用歯合部が設けられると共に、当該第１の網袋の底部には所定の長さを有する底部開口用ファスナー部が設けられ、第２の網袋は、少なくとも第１の網袋の連結用歯合部に対応する歯合部が設けられていることを特徴とする。
【考案の効果】
【００１６】
本考案の手網は、網袋が網枠に対して着脱自在に形成されているため、網体を即座に交換することが可能となる。また、網袋を網枠から簡単に取り外し、網袋のみを洗濯できるため、網袋に付着した魚の臭いや、汚れを簡単に落とすことが可能となる。また、網袋を釣り場や衣服の彩色に調和した色合いの網体を釣り場等において簡単に選択し装着することが可能となる。また、係止部の係止手段として、ファスナー又は面ファスナーを使用するので、網が岩とこすれた場合等でも紐で縫い付ける等するよりも破損しにくい。更に、ファスナーに複数のチャックヘッド使用した場合にチャックヘッド同士を係止できる係止片を設け、ファスナー同士を係止するため、網袋が網枠からより外れにくくなる。
【００１７】
更に、網袋を連結可能とする手網の構造としたため、二つの手網を連結することにより手網のサイズ（深さ等）を簡単に大きくすることが可能となる。また、連結する網枠に係止される手網の底部に底部開放用ファスナーを設けたため、二つの手網を連結した後に、この底部開放用ファスナーを開いたり閉じたりすることにより、サイズ（深さ等）を簡単に大きくしたり、ファスナーを閉じることにより簡易的な魚篭等として使用することも可能となる。
【考案を実施するための最良の形態】
【００１８】
手網の網袋の交換を容易し、手網の利用範囲を広げる目的を、手網において必要とされる機能を損なわず、簡単な構成で実現した。
【実施例１】
【００１９】
図１乃至図７は、第１の実施例に係る網袋を示す図である。図２は、本実施例に係る網袋が手網の網枠に装着される状態を示す図である。図３は、本実施例に係る網袋が手網の網枠に装着されている状態を示す図である。図４は、本実施例に係る網袋の開口部端部の切欠け断面図を示す図であり、（１）は展開した状態の図、（２）はファスナーが係合した状態の図である。図５は、本実施例に係る網袋の開口部端部の切欠け断面図を示す図であり、（１）は展開した状態の図、（２）は面ファスナーが係合した状態の図である。図６は、本実施例に係る網袋の係止部のファスナーに２つのチャックヘッドを使用し、チャックヘッド同士を係止する係止片を使用した状態を示す図である。図７は、本実施例に係る網袋の底部に、底部着脱用ファスナー部及び底部開口用ファスナー部を設けた状態を示す図である。図１乃至図７中、１は網袋、２は網枠、３は柄、１０は係止部、１１は切込み部、１２ａ，１２ｂはファスナーの歯合部、１４ａ，１４ｂは面ファスナーの係止面、１３はチャックヘッド、１３ａは係止片、１０は係止部、２０は袋部、２１は底部着脱用ファスナー部、２２は底部開口用ファスナー部、３０は開口部、４０は底部である。
【００２０】
第１の実施例に係る網袋１は、係止部１０と袋部２０とから構成される。係止部１０は、網袋１の開口部３０側の端部に沿って、略一定の幅をもって帯状に形成されている。係止部１０は、１個所の切込み部１１が設けられている。係止部１０の幅は、収納される網枠の径によって変わるものであるが、係止部１０が筒状に形成された際に網枠３が収納できる幅を有すればよい。係止部１０には、互いに歯合し合う一対の歯合部１２ａ，１２ｂを備えたファスナーが設けられている。通常の手網の場合一対の歯合部の幅間隔は５０ｍｍ〜８０ｍｍ程度が好ましいが、網枠５０を収納できれば良く、これに限定されるものではないことは勿論である。この歯合部１２ａ，１２ｂは、図中ではチャック歯として示されているが、歯合出来ればよいため、雄雌型のファスナー、チャック歯のファスナー等いずれであっても良い。また、この歯合部１２ａ，１２ｂが設けられた布片は、網に縫付ける等して係止される。歯合部１２ｂは、縫付け部を補強するための当て布１２ｃを、網と歯合部１２ｂが設けられた布片の間に挟み込んで縫付けられている。係止部２０は、切込み部１１が設けられているため、係止部１０のファスナーの歯合部１２ａ，１２ｂが歯合され場合には、係止部１０が筒状に形成され、網枠２が収納可能となる。なお、係止部１０に、複数の切込み部１１を設け、互いに歯合し合う一対の歯合部１２ａ，１２ｂを備えた複数のファスナーを設けてもよい。
【００２１】
図１の網袋１は、切込み部１１が一箇所の場合の実施例であるが、この場合に図６に示すようにファスナーに２個のチャックヘッドを相対するように設けても良い。この場合、２つのチャックヘッドの一方又は双方に係止片１３ａを設けると良い。このように構成すれば、この係止片１３ａでチャックヘッド同士を係止することにより、網袋１が網２枠から外れにくくなる。
【００２２】
また、図示しないが、係止部に複数の切込み部を設け、当該切込み部で係止部が分けられた場合には、夫々の係止部のチャックヘッド同士を係止できるように、チャックヘッドに任意に係止片を設けても良い。このように構成すれば、係止部が分けられた場合であっても、この係止片でチャックヘッド同士を係止することにより、網袋１が網２枠から外れにくくなる。
【００２３】
また、係止部１０の切込み部１１近傍に手網の柄３に係止可能な係止紐又はフック等を設けても良い。このように構成すれば、この係止紐又はフック等で網袋１が柄３に係止されるので、更に網袋１が網枠２から外れにくくなる。
【００２４】
また、上述のファスナーの他、図５に示すように面ファスナーを使用してもよい。面ファスナーを使用した場合には、互いに係止し合う一対の係止面１４ａ，１４ｂが設けられ、一方の係止面１４ａが網袋の開口部３０端部側に、他方の係止面１４ｂが網袋１の底部４０側に設けられる構成となる。
【００２５】
袋部２０は、袋状の網により形成される。袋部２０の形状、袋部の深さ、網目の大きさ、網糸の太さ、等は特に限定されるものではなく、手網が使用される用途により変更出来ることは勿論である。
【００２６】
また、図７に示すように、網袋１の袋部２０の底部４０が着脱自在となるように、底部着脱用ファスナー部２１を網袋１の周囲に沿って設けても良い。このように構成することにより、捕獲しようとする獲物の種類・大きさに対応した網袋のサイズの変更のための交換、周囲の色調との調和のための交換、衣服との配色の調和のための交換、等ができることとなるため、複数の手網を用意しなくてもよくなり、非常に利便性に富む。
【００２７】
また、図７に示すように、網袋の底部が開閉自在となるように、所定の長さを有する底部開口用ファスナー部２１を網袋１底部４０に設けても良い。この底部開口用ファスナーは一つから形成しても良く、また一対のファスナーから構成されても良い。このような構成とすることにより、捕獲した獲物を手網から取り出し易くなり、手網の使い勝手が更に良くなる。
【００２８】
次に、第１の実施例に係る網袋１を網枠２への装着方法を説明する。先ず、使用者は、帯状に形成されている係止部の略中央に網枠を当て、網枠を係止部１０で包むようにする。その後、チャックヘッドを動かし、チャック歯１２ａ，１２ｂを係合させて、係止部１０を筒状に形成し、網枠２に係止させる。
【００２９】
第１の実施例に係る手網の網袋１によれば、網袋１が網枠２から着脱自在なので、手網を魚釣り等に使用後、網に付着した魚の体表粘液の腐敗臭（悪臭）を発する網袋１を取外し、袋にしまって持ち運びが可能となり、持ち運びの際に腐敗臭（悪臭）を気にしなくても良くなる。また、網袋１が網枠２から着脱自在なので、網袋１を網枠２から取外して洗濯することが出来便利である。また、本実施例に係る網袋１の係止部１０は、ファスナー等により構成され、着脱が容易に構成されているので、網の毀損・破損時の網袋の交換、捕獲しようとする獲物の種類・大きさに対応した網袋のサイズの変更のための交換、周囲の色調との調和のための交換、衣服との配色の調和のための交換、等も可能となり、魚釣り等の場面において複数の手網を用意しなくてもよくなるため、非常に便利である。更に、本実施例に係る網袋にはファスナー等を有する係止部１０を設けたため、網袋１を網枠２に装着した場合において、単に紐で縫い付けたり等するよりも、簡単に外れない使用に耐えうる強度も確保できる。
【実施例２】
【００３０】
図８及び図９は、第２の実施例に係る網袋を示す図である。第２の実施例に係る網袋は、第１の網袋と第２の網袋から構成される。図８は、第１の網袋１００と第２の網袋２００が分離した状態を示す図、図９は、第１の網袋１００と第２の網袋２００を連結した状態を示す図である。図８及び図９中、１００は第１の網袋、１１０は係止部、１２０は袋部、１２１は連結用歯合部、１２２ａ，１２２ｂは底部開放用ファスナー、１３０は開口部、２００は、第２の網袋、２１０は係止部、２１２ａは開口部側歯合部、２２０は袋部、２４０は底部を示す。
【００３１】
第１の網袋は、係止部１１０と袋部１２０とから構成される。第２の網袋は、係止部２１０と袋部２２０とから構成される。第１及び第２の網袋の係止部１１０，２１０は、上記第１の実施例に係る係止部１０と同様の構成を有するものであるため、ここでは説明を省略する。
【００３２】
第１の網袋の袋部１２０は、袋状の網により形成される。袋部１２０の形状、袋部の深さ、網目の大きさ、網糸の太さ、等は特に限定されるものではなく、手網が使用される用途により変更することは自由であることは勿論である。第１の網袋の袋部１２０には、当該袋部の外周に沿って、第２の網袋と連結させるための連結用歯合部１２１が設けられている。この連結用歯合部１２１は、チャック歯であり、このチャック歯が底部側に向くように設けられている。この連結用チャック歯は、袋部１２０の底部から略１０ｃｍ程度開口部側に上げたところに帯状に設けられている。この連結用歯合部１２１は、第２の網袋２００の開口部端部側の歯合部２１２ａと歯合させ、図９に示すように連結する。
【００３３】
また、第１の網袋１００の底部側１４０には、底部側１４０から見た際に略直線状になるように一対の底部開放用ファスナー１２２ａ，１２２ｂが設けられている。この一対の底部開放用ファスナー１２２ａ，１２２ｂは、ファスナーを閉じた状態でチャックヘッドが隣り合わせになるように構成されている。図８中では、ファスナーを開いた状態が示されている。なお、底部側１４０に設けられた底部開放用ファスナー１２２ａ，１２２ｂは、図８中では、一対のファスナーにより構成されるが、一つのファスナーにより構成されても良いことは勿論である。
【００３４】
次に、第２の実施例に係る網袋の使用方法を説明する。先ず、使用者は、第１の実施例に係る網袋１と同様に第２の実施例に係る第１の網袋１００を網枠２に装着する。その後又はその前に、第１の網袋１００の連結用歯合部１２１に第２の網袋２００の開口部側歯合部２１２ａを併せ、第２の網袋２００のチャックヘッド（図示せず。）を歯合させ網袋の廻りを一周させることにより、連結し係止させる。
【００３５】
第２の実施例に係る手網によれば、２つの網袋を連結可能とする手網の構造としたため、二つの手網を連結することにより手網のサイズ（深さ等）を簡単に大きくすることが可能となる。また、第２の実施例に係る手網によれば、連結する網枠に係止される第１の手網の底部１４０に底部開放用ファスナー１２２ａ，１２２ｂを設けたため、二つの手網を連結した後に、この底部開放用ファスナー１２２ａ，１２２ｂのチャックヘッドを動かして開いたり閉じたりすることにより、サイズ（深さ等）を簡単に大きくしたり、また底部開放用ファスナー１２２ａ，１２２ｂのチャックヘッドを動かしファスナーを閉じることにより簡易的な魚篭等として使用することも可能となる。
【図面の簡単な説明】
【００３６】
【図１】図１は、第１の実施例に係る網袋を示す図である。
【図２】図２は、第１の実施例に係る網袋が手網の網枠に装着される状態を示す図である。
【図３】図３は、第１の実施例に係る網袋が手網の網枠に装着されている状態を示す図である。
【図４】図４は、第１の実施例に係る網袋の開口部端部の切り欠け断面図を示す図であり、（１）は展開した状態の図、（２）はファスナーが係合した状態の図である。
【図５】図５は、第１の実施例に係る網袋の開口部端部の切り欠け断面図を示す図であり、（１）は展開した状態の図、（２）は面ファスナーが係合した状態の図である。
【図６】図６は、第１の実施例に係る網袋の係止部のファスナーに２つのチャックヘッドを使用し、チャックヘッド同士を係止する係止片を使用した状態を示す図である。
【図７】図７は、第１の実施例に係る網袋の底部に、底部着脱用ファスナー部及び底部開口用ファスナー部を設けた状態を表す図である。
【図８】図８は、第１の網袋と第２の網袋が分離した状態を示す図である。
【図９】図９は、第１の網袋と第２の網袋を連結した状態を示す図である。
【符号の説明】
【００３７】
１    網袋
２    網枠
３    柄
１０    係止部
１１    切込み部
１２ａ，１２ｂ    ファスナーの歯合部
１２０ａ，１２０ｂ    面ファスナーの係止面
１３    チャックヘッド
１３ａ    係止片
２０    袋部
２１    底部着脱用ファスナー部
２２    底部開口用ファスナー部
３０    開口部
４０    底部
１００    第１の網袋
１１０    係止部
１２０    袋部
１２１    連結用歯合部
１２２ａ，１２２ｂ    底部開放用ファスナー
１３０    開口部
１４０    底部
２００    第２の網袋
２１０    係止部
２１２ａ    開口部側歯合部
２１３    チャックヘッド
２２０    袋部
２４０    底部
【図１】
0003111618.tif 000003
【図２】
0003111618.tif 000004
【図３】
0003111618.tif 000005
【図４】
0003111618.tif 000006
【図５】
0003111618.tif 000007
【図６】
0003111618.tif 000008
【図７】
0003111618.tif 000009
【図８】
0003111618.tif 000010
【図９】
0003111618.tif 000011